(57)【特許請求の範囲】
【請求項１】
天板の上位に複数の照明を備えた照明付きデスクであって、
半透光性パネルと、
前記半透光性パネルに光を照射するアンビエント照明と、
前記アンビエント照明よりも下方に位置し、天板上面に光を照射するタスク照明と、
を備え、
前記アンビエント照明は天井を照らす上照明部と前記タスク照明と共に利用エリアを照らす下照明部を備えている照明付きデスク。
【請求項２】
天板の上位に複数の照明を備えた照明付きデスクであって、
前記天板に対して垂直平面状に設けたメッシュ状の半透光性パネルと、
前記半透光性パネルに光を照射するアンビエント照明と、
前記アンビエント照明よりも下方に位置し、天板上面に光を照射するタスク照明と、
を備える照明付きデスク。
【請求項３】
前記半透光性パネルは、メッシュクロスで作製したものである請求項１又は２記載の照明付きデスク。
【請求項４】
前記メッシュクロスは、開口部平均直径が０．５ｍｍ〜２．０ｍｍ、開口率が４０〜６０％である請求項３記載の照明付きデスク。
【発明の詳細な説明】
【技術分野】
【０００１】
本発明は、照明付きデスクに係わり、更に詳しくはオフィス等に構築する島置きタイプのデスクシステムに適した照明付きデスクに関するものである。
【背景技術】
【０００２】
近年、省エネルギーの観点から白熱灯から蛍光灯へと切り換えが進み、更に消費電力が小さく且つ調光可能な発光ダイオード（ＬＥＤ）照明の採用も広がりつつある。オフィス照明においても天井に設けた照明器具で部屋全体を明るくするやり方から、必要最小限の空間を必要最小限の明るさに照らすコンセプトの提案もなされてきている。
【０００３】
従来から机上の照明装置として、特許文献１には、相対向する机の中間に略Ｔ字形の支持アームを立設し、該支持アームでそれぞれの机の上位に位置した照明器具を支持し、該照明器具は机上面を照明する下照明部と天井面を照明する上照明部とを備えた机上照明装置が開示されている。また、特許文献２には、前後に対面配置した両天板の境界部に、両側の支柱と上端のライン構成ビームとを備えた机上構造体を立設し、該机上構造体のライン構成ビームに上向きに照らす補助照明手段を設けるとともに、前記ライン構成ビームからワイヤで吊り下げられた中間フレームに主として下方を照らす光源を設け、更に前記机上構造体の下部で両支柱間にデスクトップパネルを配置して、前記中間フレームの光源からの光の一部を該パネル面で反射させて天板上面に導くように構成したデスクシステムが開示されている。
【０００４】
しかし、特許文献１の机上照明装置は、同じ照明装置に机上面を照明する下照明部と天井面を照明する上照明部とを備えているので、机上面の照度を十分に確保するために、照明装置の高さを比較的低く設定する必要があるが、そうすると天井面との距離が長くなり、効果的に天井面を照らすには、出力が大きな明るい上照明部を必要とし、省エネルギーには不向きである。また、対面する側の下照明部の照明が支持アームの間を通して机上面に届くように、中央部のパネルの高さが抑制されているので、目隠し機能は期待できない。一方、特許文献２のデスクシステムの照明装置は、中間フレームの高さを調節して天板上面の照度を調節できるが、机上構造体の上端のライン構成ビームに設けた光源は上方を照らす機能しかないので、中間フレームを下げて天板上面の照度を高めた場合、相対的に上部が暗くなり、それによって部屋全体が暗く感じられるようになる。
【先行技術文献】
【特許文献】
【０００５】
【特許文献１】実開昭６１−１０２１３４号公報
【特許文献２】特開２０１０−０１７４８８号公報
【発明の概要】
【発明が解決しようとする課題】
【０００６】
そこで、本発明が前述の状況に鑑み、解決しようとするところは、オフィス等の室内全体を明るくする天井照明器具を使用しないパーソナル照明を前提とし、少なくともアンビエント照明とタスク照明とを備えた照明付きデスクであって、アンビエント照明の光を間接的に下方照明として利用するための光反射機能を備えさせ、光反射機能によって透視性を著しく損なわないようにして圧迫感を軽減しつつ、より高い明るさを確保することが可能な照明付きデスクを提供する点にある。
【課題を解決するための手段】
【０００７】
本発明は、前述の課題解決のために、天板の上位に複数の照明を備えた照明付きデスクであって、半透光性パネルと、前記半透光性パネルに光を照射するアンビエント照明と、前記アンビエント照明よりも下方に位置し、天板上面に光を照射するタスク照明と、を備え、前記アンビエント照明は天井を照らす上照明部と前記タスク照明と共に利用エリアを照らす下照明部を備えている照明付きデスクを構成した（請求項１）。
【０００８】
また本発明は、天板の上位に複数の照明を備えた照明付きデスクであって、前記天板に対して垂直平面状に設けたメッシュ状の半透光性パネルと、前記半透光性パネルに光を照射するアンビエント照明と、前記アンビエント照明よりも下方に位置し、天板上面に光を照射するタスク照明と、を備える照明付きデスクを構成した（請求項２）。
【０００９】
そして、前記半透光性パネルは、メッシュクロスで作製したものであること（請求項３）、前記メッシュクロスは、開口部平均直径が０．５ｍｍ〜２．０ｍｍ、開口率が４０〜６０％であることがより好ましい（請求項４）。
【発明の効果】
【００１０】
以上にしてなる請求項１に係る発明の照明付きデスクは、天板の上位に複数の照明を備えた照明付きデスクであって、半透光性パネルと、前記半透光性パネルに光を照射するアンビエント照明と、前記アンビエント照明よりも下方に位置し、天板上面に光を照射するタスク照明と、を備え、前記アンビエント照明は天井を照らす上照明部と前記タスク照明と共に利用エリアを照らす下照明部を備えているので、天井面を照らすアンビエント照明の下照明部からの一部の光を半透光性パネルに照射することにより、該アンビエント照明より下方に位置する半透光性パネルが光を乱反射させて前面の照度が高くなる結果、天板上のパーソナルスペースが明るくなり、また半透光性パネルは、透視して反対側を見ることができるので、該半透光性パネルによる圧迫感を軽減することができる。勿論、タスク照明によって、天板上面の照度を十分に確保することができ、そしてアンビエント照明とタスク照明の組み合わせることによって、視界が明るくなり、最小限の照度で最大限明るく感じさせることができ、節電に寄与するのである。そして、アンビエント照明の上照明部によって、本来の機能として天井を照らすことができる。
【００１１】
また請求項２に係る発明の照明付きデスクは、天板の上位に複数の照明を備えた照明付きデスクであって、前記天板に対して垂直平面状に設けたメッシュ状の半透光性パネルと、前記半透光性パネルに光を照射するアンビエント照明と、前記アンビエント照明よりも下方に位置し、天板上面に光を照射するタスク照明と、を備えるので、天井面を照らすアンビエント照明の一部の光を半透光性パネルに照射することにより、該アンビエント照明より下方に位置するメッシュ状の半透光性パネルが光を乱反射させて前面の照度が高くなる結果、天板上のパーソナルスペースが明るくなり、また半透光性パネルは、透視して反対側を見ることができるので、該半透光性パネルによる圧迫感を軽減することができる。特に、前記半透光性パネルがメッシュ状であるので、適度な光反射性と透視性を備えたものとなり、また軽量であるので、支持構造が簡易になる。更に、請求項１と同様に、タスク照明によって、天板上面の照度を十分に確保することができ、そしてアンビエント照明とタスク照明の組み合わせることによって、視界が明るくなり、最小限の照度で最大限明るく感じさせることができ、節電に寄与するのである。
【００１２】
請求項３によれば、前記半透光性パネルは、メッシュクロスで作製したものであるので、適度な光反射性と透視性とを備えたものとなる。
【００１３】
請求項４によれば、前記メッシュクロスは、開口部平均直径が０．５ｍｍ〜２．０ｍｍ、開口率が４０〜６０％であるので、透視性を著しく損なうことがなく、つまり圧迫感が少なく、またアンビエント照明の光を乱反射させて間接照明としての機能も備えさせることができる。
【図面の簡単な説明】
【００１４】
【図１】本発明の照明装置を４席の対向島型デスクシステムに設けた実施形態を示す斜視図である。
【図２】同じく平面図である。
【図３】同じく半透光性パネルとしてメッシュクロスを用いた実施形態の正面図である。
【図４】同じく半透光性パネルとしてパンチングメタルを用いた実施形態の正面図である。
【図５】タスク照明を示し、（ａ）は平面図、（ｂ）は拡大側面図である。
【図６】アンビエント照明を示し、（ａ）は平面図、（ｂ）は拡大側面図である。
【図７】パネル照明を示し、（ａ）は正面図、（ｂ）は拡大側面図である。
【発明を実施するための形態】
【００１５】
次に、添付図面に示した実施形態に基づき、本発明を更に詳細に説明する。図１〜図３は本発明の照明付きデスクを用いて４席の対向島型デスクシステムを構成した実施形態を示し、図中符号１はデスクシステム、２は照明装置、３は支持フレーム、４はタスク照明、５はアンビエント照明、６は半透光性パネル、７は不透光性パネルをそれぞれ示している。本実施形態は、オフィスで使用することを前提として記載するが、本発明は広く一般的に適用できるものである。
【００１６】
４席の対向島型デスクシステム１は、左右に２席を並べて設け、あるいは左右に２席分の横幅の天板８を設け、これを反対側にも対称に対向させて設けたものであるが、本発明では具体的構造の限定は不要である。図１〜図３に示した実施形態は、前記デスクシステム１には、前後中央部の境界線上に支柱を立起状態で取付けるための構造が設けられ、それを利用して前記支持フレーム３が立設されるものである。尚、前記デスクシステム１に、支柱を立起状態で取付けるための構造が設けられてない場合には、図４に示すように、デスクシステム１の天板後部の側方、前述の４席の対向島型デスクシステム１では脚部９の前後中間部の側方に後付けで立設し、該脚部９に連結具等によって固定する。あるいは、前記支持フレーム３自体が自立可能な構造であっても良い。本発明で利用エリアとは、各席に対応する天板８の上面を指している。従って、前記支持フレーム３は利用エリア後部に立設されることになる。
【００１７】
前記支持フレーム３は、両端部の端支柱１０，１０と中間の中間支柱１１及びそれらの上端間に連結する上板１２とで概略構成し、上下中間部で中段位置に前記端支柱１０，１０及び中間支柱１１を囲むように四角形状の支持枠１３を設けている。
【００１８】
そして、本発明に係る照明装置２は、図３に示すように、前記支持フレーム３の中段位置の支持枠１３に、下向きに照らすタスク照明４を設けるとともに、上端の上板１２にアンビエント照明５を設け、該アンビエント照明５の下方で、前記支持フレーム３の上段位置に前記半透光性パネル６を前記天板８に対して垂直平面状に設けている。更に、前記支持フレーム３の下段位置で前記タスク照明４よりも下方に不透光性パネル７を配置し、該不透光性パネル７と前記半透光性パネル６の間に空間１４を設けている。
【００１９】
前記半透光性パネル６は、本実施形態ではポリエステル１００％のメッシュクロスで作製したものを用い、当該メッシュクロスは、開口部平均直径が０．５ｍｍ〜２．０ｍｍ、開口率が４０〜６０％である。この程度の穴径と開口率を有するパネルが、立ち位置に寄らず最も反対側が見え易いということが、本発明に先立つ研究によって分かっている。
【００２０】
また、図４は、前記半透光性パネル６として、開口部平均直径が０．５ｍｍ〜２．０ｍｍ、開口率が４０〜６０％のパンチングパネルを用いて構成した実施形態であり、メッシュクロスと同様な透視性と光反射性を備えたものとなる。また、前記半透光性パネル６として、透明部分と非透明部分から構成されるパネルを用いることができ、例えば透明樹脂パネルの表面に非透明な水玉等の模様を付したパネルを用いることができる。この場合、非透明部分には光の反射率が高い白色系塗料を用いることが好ましい。本発明では、メッシュ状パネルも、パンチングパネルも、透明部分と非透明部分から構成されるパネルも半透光性パネル６の範疇とする。
【００２１】
前記タスク照明４は、図１〜図５に示すように、長さが３０ｃｍのタスク照明ユニット１５，…を複数直列に接続し、各タスク照明ユニット１５を独立して仰角を変更可能に前記支持枠１３に取付けて構成している。前記タスク照明４は、４つの利用エリアに対応して前記支持枠１３の前後左右にそれぞれ４つ設けている。
【００２２】
前記アンビエント照明５は、図１、図２及び図６に示すように、天井を照らす上照明部５Ａと前記タスク照明４と共に利用エリアを照らす下照明部５Ｂを備えている。このアンビエント照明５の上照明部５Ａ及び下照明部５Ｂも前記タスク照明４と同様に、長さが３０ｃｍの上照明部ユニット１６，…及び下照明部ユニット１７，…を複数直列に接続し、前記上板１２に取付けて構成している。前記アンビエント照明５は、４つの利用エリアに対応して前記上板１２の前後左右にそれぞれ４つ設けている。
【００２３】
前記アンビエント照明５の下照明部５Ｂからの光は、一部が前記半透光性パネル６に照射され、該半透光性パネル６の表面で乱反射し、正確には繊維の表面で乱反射し、全体がぼんやりと明るくなり、間接照明の機能を果たし、天板８の上方のパーソナルスペースを明るくするのである。一方、前記タスク照明４からの光の一部は、前記不透光性パネル７に反射されて天板８の上面の照度を高めるとともに、それ自体が面状に明るくなってパーソナルスペースを明るくする作用をする。また、前記半透光性パネル６と不透光性パネル７との間に設けた空間１４によって、室内を見渡すことができ、圧迫感を抑制することができ、また着席したまま支持フレーム３越しに対面での会話を行うことができる。
【００２４】
前記メッシュクロスからなる半透光性パネル６の効果を実証するために、不透光性スチレンボードとで比較実験を行った。メッシュクロスとスチレンボードの表面の画像を取得し、それを明るさ感評価ソフト「ＲＥＡＬＡＰＳ」で検証したところ、メッシュクロスの方が広範囲に輝度が高くなっていることが分かった。この結果は、複数の試験者の目視による官能評価と一致している。
【００２５】
また、前記不透光性パネル７の代わりに、積極的に面発光するパネル照明１８を前記支持フレーム３の下段位置で端支柱１０と中間支柱１１の間に略垂直に設けることも可能である。
【００２６】
各照明の光源は、照度と色温度を調節できるように多数の発光ダイオード（ＬＥＤ）を用いて構成することが好ましい。
【００２７】
前記パネル照明１８は、図７に示すように、パネル枠１９を介して前記支持フレーム３の下部の端支柱１０と中間支柱１１間に装着する。本実施形態では、前記パネル枠１９に、２枚のパネル照明１８，１８を前後に背面向かいで間隔を置いて装着している。前記パネル照明１８の構造は限定されないが、拡散板の両側にＬＥＤを配置して内部に光を入射し、拡散板の背面には反射シートを貼り付けて、光を前方へ反射して面発光するようにしたものである。本実施形態では、各利用エリアに一枚のパネル照明１８としたが、３０ｃｍ幅にユニット化したものを複数枚横に並べて構成しても良いが、その場合には、各ユニットの拡散板の上下にＬＥＤを配置することが左右の連続性において望ましい。
【００２８】
また、前記不透光性パネル７の下端部、若しくは前記パネル枠１９の下縁部は制御パネル２０となっており、前記支持フレーム３に取付けた状態では、該制御パネル２０は天板８の上面に沿って位置する。前記制御パネル２０には、前記タスク照明４、アンビエント照明５及びパネル照明１８をそれぞれ手動で調光するための手元操作部２１を設けている。尚、前記制御パネル２０は、前記パネル枠１９とは別に設けて前記支持フレーム３の下部に設けても良い。
【００２９】
前記タスク照明４及びアンビエント照明５、あるいはパネル照明１８をユニット化する場合、長さ又は横幅を３０ｃｍとしたが、この寸法に限定されず、２０〜４０ｃｍの範囲に設定する。また、光源をＬＥＤとしたが、調光可能なものであれば採用でき、例えば、ＥＬ照明等も利用できる。また、アンビエント照明５には蛍光灯を利用することも可能である。調光が難しい光源を用いた場合にも、複数のユニットで照明を構成している場合は、点灯するユニットの数を調整して照度を変化させることができる。
【符号の説明】
【００３０】
１  デスクシステム
２  照明装置
３  支持フレーム
４  タスク照明
５  アンビエント照明
５Ａ  上照明部
５Ｂ  下照明部
６  半透光性パネル
７  不透光性パネル
８  天板
９  脚部
１０  端支柱
１１  中間支柱
１２  上板
１３  支持枠
１４  空間
１５  タスク照明ユニット
１６  上照明部ユニット
１７  下照明部ユニット
１８  パネル照明
１９  パネル枠
２０  制御パネル
２１  手元操作部
【図１】
0005782796.tif 000002
【図２】
0005782796.tif 000003
【図３】
0005782796.tif 000004
【図４】
0005782796.tif 000005
【図５】
0005782796.tif 000006
【図６】
0005782796.tif 000007
【図７】
0005782796.tif 000008